(57)【要約】【課題】読影レポートの所見から読影過程を知ることができ、所見の妥当性の判断に寄与することができる読影レポート作成装置および読影レポート表示装置を提供する。【解決手段】グループ分け部は、検出された切替操作に基づいて、入力ＩＦ回路を介して行われた一連の画面操作を一連の画面操作グループに区分し、入力ＩＦ回路を介して行われた一連の所見入力操作を一連の所見入力操作グループに区分する。記憶部は、一連の画面操作グループと一連の所見入力操作グループとを時間の前後関係に基づいて関連付けて、一連の画面操作グループ各々に含まれる画面操作を再現するための再現情報と、一連の画面操作グループに関連付けられた一連の所見入力操作グループ各々に含まれる所見入力操作により入力された所見の文章単位とを記憶する。【選択図】      図１
2018045431.tif 000002
【特許請求の範囲】
【請求項１】
所見入力画面を用いた所見を入力する所見入力操作と、画像表示画面を用いた読影対象医用画像に対する画面操作と、前記画面操作と前記所見入力操作との切替操作とを受け付ける入力部と、
前記入力部を介した前記切替操作を検出する検出部と、
前記検出された切替操作に基づいて、前記入力部を介して行われた一連の画面操作を一連の画面操作グループに区分し、前記入力部を介して行われた一連の所見入力操作を一連の所見入力操作グループに区分するグループ分け部と、
前記一連の画面操作グループと前記一連の所見入力操作グループとを時間的な前後関係に基づいて関連付けて、前記一連の画面操作グループ各々に含まれる画面操作を再現するための再現情報と、前記一連の画面操作グループに関連付けられた前記一連の所見入力操作グループ各々に含まれる所見入力操作により入力された所見の文章単位とを記憶する記憶部と、
を具備する読影レポート作成装置。
【請求項２】
前記検出部は、前記切替操作として、前記画像表示画面から前記所見入力画面へのアクティブウィンドウの切り替えを表す第１切替操作と、前記所見入力画面から前記画像表示画面へのアクティブウィンドウの切り替えを表す第２切替操作とを検出する請求項１記載の読影レポート作成装置。
【請求項３】
前記グループ分け部は、
前記第１切替操作が検出されるまでに前記入力部を介して行われた一または複数の画面操作を単一の画面操作グループに区分し、
前記第２切替操作が検出されるまでに前記入力部を介して行われた一または複数の所見入力操作を単一の所見入力操作グループに区分する、
請求項２記載の読影レポート作成装置。
【請求項４】
前記記憶部は、前記画面操作グループと、時間的に前記画面操作グループの直後に行われた前記所見入力操作グループとを関連付ける請求項１乃至３のいずれか一項記載の読影レポート作成装置。
【請求項５】
画像表示画面を用いた読影対象医用画像に対する画面操作と、所見入力画面を用いた所見を入力する所見入力操作とを受け付ける入力部と、
前記所見入力操作により入力された所見の文章単位ごとに、前記文章単位と、前記文章単位を入力する過程において前記入力部を介して行われた一連の画面操作を再現するための再現情報とを関連付けて記憶する記憶部と、
を具備する読影レポート作成装置。
【請求項６】
前記入力部は、前記文章単位ごとの確定操作を受け付け、
前記記憶部は、前記確定操作が入力されるまでに前記入力部を介して行われた一連の画面操作を再現するための再現情報を前記確定された文章単位に関連付けて記憶する請求項５記載の読影レポート作成装置。
【請求項７】
前記記憶部は、前記再現情報として、前記画面操作された読影対象医用画像と、前記画面操作された読影対象医用画像を含む前記画像表示画面のキャプチャ画像と、前記読影対象医用画像に対する画面操作の内容を示すログとのうちの少なくとも一つを記憶する請求項１乃至６のいずれか一項記載の読影レポート作成装置。
【請求項８】
所見文章を構成する複数の文章単位各々について、前記文章単位各々の作成時に行われた、読影対象医用画像に対する一連の画面操作を再現するための再現情報を関連付けて記憶する記憶部と、
前記所見文章を表示する表示部と、
前記複数の文章単位の再現情報のうちのユーザ指定の再現情報に基づいて、前記複数の文章単位のうちの前記指定された再現情報に関連付けられた文章単位の作成時に行われた、前記読影対象医用画像に対する一連の画面操作を再現する再現部と、
を具備する読影レポート表示装置。
【請求項９】
前記表示部は、前記複数の文章単位のうちの時間的に前後する２つの文章単位の境目を明示する請求項８記載の読影レポート表示装置。
【請求項１０】
前記境目は、前記所見文章の入力のための所見入力画面と前記読影対象医用画像が表示される画像表示画面との間の操作画面の切替が行われたタイミングに対応する請求項９記載の読影レポート表示装置。
【請求項１１】
前記境目は、前記所見文章の作成操作が中断されて前記読影対象医用画像に対する画面操作が行われたタイミングに対応する請求項１０記載の読影レポート表示装置。
【請求項１２】
前記表示部は、前記２つの文章単位のいずれか一方の文章単位の作成時に行われた、前記読影対象医用画像に対する一連の画面操作の再現を指示するためのアイコンを、前記境目に表示する請求項９記載の読影レポート表示装置。
【請求項１３】
前記表示部は、前記２つの文章単位のいずれか一方の文章単位の作成時に行われた、前記読影対象医用画像に対する一連の画面操作の内容を表示するためのアイコンを、前記境目に表示する請求項９記載の読影レポート表示装置。
【請求項１４】
前記複数の文章単位のうちのいずれかの文章単位の指定を受け付ける入力部をさらに具備し、
前記再現部は、前記指定された文章単位に関連付けられた再現情報を前記ユーザ指定の再現情報に設定する、
請求項８記載の読影レポート表示装置。
【請求項１５】
前記再現部は、前記指定された文章単位に関連付けられた再現情報が複数の画面操作を含む場合、前記複数の画面操作を順番に再現する請求項１４記載の読影レポート表示装置。
【請求項１６】
前記表示部は、順送りボタンと逆送りボタンとを表示し、
前記再現部は、
前記入力部を介してユーザにより前記順送りボタンが指定された場合、前記複数の画面操作のうちの、再現中の画面操作から時間的に直後の画面操作を再現し、
前記入力部を介してユーザにより前記逆送りボタンが指定された場合、前記複数の画面操作のうちの、前記再現中の画面操作から時間的に直前の画面操作を再現する、
請求項１５記載の読影レポート表示装置。
【請求項１７】
前記記憶部は、前記再現情報として、前記画面操作された読影対象医用画像と、前記画面操作された読影対象医用画像を含む画像表示画面のキャプチャ画像と、前記読影対象医用画像に対する画面操作の内容を示すログとのうちの少なくとも一つを記憶する請求項８乃至１６のいずれか一項記載の読影レポート表示装置。
【発明の詳細な説明】
【技術分野】
【０００１】
本発明の実施形態は、読影レポート作成装置および読影レポート表示装置に関する。
【背景技術】
【０００２】
読影レポートは、読影医により作成される。読影医による読影レポートの作成過程について説明すると、まず、読影医は、臨床医から依頼された検査内容に基づいて技師が撮影した医用画像（検査画像）を読影する。例えば、読影医は、依頼された読影内容に基づいて読影対象の医用画像を画面に表示させる。読影医は、画面に表示された読影対象の医用画像の表示態様を様々に変えながら、医用画像を観察する。これにより、読影医は、読影対象の医用画像に含まれる病変等を見出す。そして、読影医は、読影対象の医用画像から見出した病変等に基づいて所見（テキストデータ）を入力する。また、読影医は、所見の根拠とした医用画像（キー画像）を特定し、特定した医用画像を識別する情報を入力する。上記医用画像を識別する情報は、例えば、特定された医用画像が存在する保管場所を示すパス、或いはＵＲＬ（Uniform Resource Locator）、医用画像を識別するための画像ＩＤ、特定された医用画像に対応するサムネイルである。
【０００３】
上記過程を経て読影医により作成された読影レポートには、読影医が所見の根拠とした医用画像が添付されるか、或いは当該特定した医用画像を識別する情報が含まれる。上記読影レポートの中には、上記パス、或いはＵＲＬに基づいて読影医が所見の根拠とした医用画像を保管場所から呼び出し、呼び出した医用画像を画面に表示させるリンク情報を含むものもある。
【０００４】
ところで、臨床医等の読影レポート閲覧者は、読影レポートに記載されている病変に関する所見と、所見の根拠となった医用画像とを病変ごとに確認している。読影レポート閲覧者の中には、所見の妥当性を判断するため、読影医が読影時に画面に表示させた医用画像の表示態様の遷移を確認したい（再現したい）という要望を持っている者がいる。
【０００５】
そこで、読影医による読影時に各医用画像に施された画像処理のパラメータを履歴情報として保存し、保存された履歴情報に基づいて読影医が読影時に画面に表示させた医用画像の表示態様の遷移を再現可能な医用画像表示装置の実現が想定されている。
【０００６】
上記履歴情報からは、各医用画像に施された各画像処理を再現することができる。しかしながら、単に読影時に医用画像に施された各画像処理を再現しても、読影医が読影時に観察した各医用画像の各表示態様が漠然と判るだけである。すなわち、各画像処理に対する読影医の意図、各表示態様と所見の内容（例えば、所見を構成する個々の文章および語句との関係性）との関係等は、依然として審らかにされない。
【０００７】
このため、読影レポート閲覧者は、読影医による読影過程および所見作成時の検討過程等を詳細に知ることはできない。従って、読影レポート閲覧者にとっては、読影レポート中の所見の妥当性を判断することが依然として困難なままである。
【先行技術文献】
【特許文献】
【０００８】
【特許文献１】特開２００４−３３４７８９号公報
【特許文献２】特開２００７−０８７２８５号公報
【発明の概要】
【発明が解決しようとする課題】
【０００９】
本実施形態の目的は、読影レポートの所見から読影過程を知ることができ、所見の妥当性の判断に寄与することができる読影レポート作成装置および読影レポート表示装置を提供することにある。
【課題を解決するための手段】
【００１０】
実施形態によれば、読影レポート作成装置は、所見入力画面を用いた所見を入力する所見入力操作と、画像表示画面を用いた読影対象医用画像に対する画面操作と、前記画面操作と前記所見入力操作との切替操作とを受け付ける入力部と、前記入力部を介した前記切替操作を検出する検出部と、前記検出された切替操作に基づいて、前記入力部を介して行われた一連の画面操作を一連の画面操作グループに区分し、前記入力部を介して行われた一連の所見入力操作を一連の所見入力操作グループに区分するグループ分け部と、前記一連の画面操作グループと前記一連の所見入力操作グループとを時間の前後関係に基づいて関連付けて、前記一連の画面操作グループ各々に含まれる画面操作を再現するための再現情報と、前記一連の画面操作グループに関連付けられた前記一連の所見入力操作グループ各々に含まれる所見入力操作により入力された所見の文章単位とを記憶する記憶部と、を具備する。
【図面の簡単な説明】
【００１１】
【図１】図１は、第１実施形態に係る読影レポート管理システムを示すブロック図である。
【図２】図２は、図１に示す読影レポート作成装置を示すブロック図である。
【図３】図３は、第１実施形態に係る読影レポート作成装置における読影レポートの作成過程において、表示回路に表示される表示画面の一例を示す図である。
【図４】図４は、第１実施形態における読影レポートの作成過程において、表示回路２３に表示された画像表示画面において行われる画面操作と、所見入力画面において行われる所見入力操作と、画面操作と所見入力操作とを切り替える切替操作との一例を示す図である。
【図５】図５は、図４に示す読影レポートの作成過程において記憶回路に記憶された操作履歴情報を示す図である。
【図６】図６は、図４および図５に示す操作例において、処理回路により区分された画面操作グループを示す図である。
【図７】図７は、図４および図５に示す操作例において、処理回路により区分された所見入力操作グループを示す図である。
【図８】図８は、第１実施形態における記憶回路に記憶された一連の画面操作グループ各々に含まれる再現情報と、一連の画面操作グループ各々に関連付けられた一連の所見入力操作グループ各々に含まれる所見の文章単位とを示す図である。
【図９】図９は、第２実施形態における読影レポートの作成過程において、表示回路に表示された画像表示画面において行われる画面操作と、所見入力画面において行われる所見入力操作と、画面操作と所見入力操作とを切り替える切替操作との一例を示す図である。
【図１０】図１０は、図９に示す読影レポートの作成過程において記憶回路に記憶された操作履歴情報を示す図である。
【図１１】図１１は、図９および図１０に示す操作例において、処理回路により区分された画面操作グループを示す図である。
【図１２】図１２は、図９および図１０に示す操作例において、処理回路により区分された所見入力操作グループを示す図である。
【図１３】図１３は、第２実施形態における記憶回路に記憶された一連の画面操作グループ各々に含まれる再現情報と、一連の画面操作グループ各々に関連付けられた一連の所見入力操作グループ各々に含まれる所見の文章単位とを示す図である。
【図１４】図１４は、図１に示す読影レポート表示装置を示すブロック図である。
【図１５】図１５は、第３実施形態に係る読影レポート表示装置におけるレポート表示画面の一例を示す図である。
【図１６】図１６は、所見表示画面に表示されるアイコンを指定した場合のレポート表示画面の表示例１を示す図である。
【図１７】図１７は、所見表示画面に表示されるアイコンを指定した場合のレポート表示画面の表示例２を示す図である。
【図１８】図１８は、指定された文章単位に関連付けられた再現情報が複数の画面操作を含む場合のレポート表示画面の表示例１を示す図である。
【図１９】図１９は、指定された文章単位に関連付けられた再現情報が複数の画面操作を含む場合のレポート表示画面の表示例２を示す図である。
【発明を実施するための形態】
【００１２】
以下、本実施形態に係る読影レポート作成装置および読影レポート表示装置について、図面を参照して説明する。
【００１３】
（第１実施形態）
図１は、第１実施形態に係る読影レポート管理システムを示すブロック図である。図１に示すように、読影レポート管理システムは、医用画像表示装置１と、読影レポート作成装置２と、読影レポート表示装置３とを備える。医用画像表示装置１は、医用画像撮像装置により撮像された医用画像を閲覧するためのコンピュータ（画像ビューワ）である。読影レポート作成装置２は、上記医用画像に関する読影レポートを作成するためのコンピュータあるいはワークステーションである。読影レポート表示装置３は、読影レポート作成装置２により作成された読影レポートを閲覧するためのコンピュータ（レポートビューワ）である。医用画像表示装置１と、読影レポート作成装置２と、読影レポート表示装置３とは、ネットワークＮＷを介して、相互に接続される。医用画像表示装置１と、読影レポート作成装置２と、読影レポート表示装置３とは、一つの検査室にすべて設置してもよいし、別々の検査室に設置してもよい。なお、第１実施形態では、医用画像表示装置１および読影レポート作成装置２を一つの検査室に設置し、読影レポート表示装置３を医用画像表示装置１および読影レポート作成装置２とは別の検査室に設置する。
【００１４】
ここで、読影レポート作成装置２の構成について詳しく説明する。図２は、図１に示す読影レポート作成装置２を示すブロック図である。図２に示す読影レポート作成装置２は、入力インターフェース（ＩＦ）回路２１と、通信インターフェース（ＩＦ）回路２２と、表示回路２３と、記憶回路２４と、作成装置制御回路２５と、処理回路２６とを有する。入力ＩＦ回路２１と、通信ＩＦ回路２２と、表示回路２３と、記憶回路２４と、作成装置制御回路２５と、処理回路２６とは、バスＢＵＳを介して接続される。
【００１５】
入力ＩＦ回路２１は、トラックボール、スクロールホイール、スイッチボタン、マウス、キーボード、操作面へ触れることで入力操作を行うタッチパッド、および表示画面とタッチパッドとが一体化されたタッチパネルディスプレイ等によって実現される。入力ＩＦ回路２１は、操作者（ユーザ）から受け取った入力操作を電気信号へ変換し作成装置制御回路２５へ出力する。なお、第１実施形態において、入力ＩＦ回路２１は、トラックボール、スクロールホイール、スイッチボタン、マウス、キーボード等の物理的な操作部品を備えるものだけに限られない。例えば、装置とは別体に設けられた外部の入力機器から入力操作に対応する電気信号を受け取り、この電気信号を作成装置制御回路２５へ出力する電気信号の処理回路も入力ＩＦ回路２１の例に含まれる。
【００１６】
通信ＩＦ回路２２は、有線あるいは無線にて外部装置と通信するための通信機器である。外部装置は、例えば、病院情報システム（ＨＩＳ：Hospital Information System）およびＰＡＣＳ（Picture Archiving and Communication System）等のシステムに含まれるサーバ、あるいは他のワークステーションである。第１実施形態において、通信ＩＦ回路２２は、図１に示す医用画像表示装置１および読影レポート表示装置３と通信する。
【００１７】
表示回路２３は、作成装置制御回路２５による制御に従い、種々のデータおよび上記医用画像等を表示する。表示回路２３は、表示インターフェース回路と表示機器とを有する。表示インターフェース回路は、表示対象を表すデータをビデオ信号に変換する。表示信号は、表示機器に供給される。表示機器は、表示対象を表すビデオ信号を表示する。表示機器としては、例えば、ＣＲＴディスプレイ（Cathode Ray Tube Display）、液晶ディスプレイ（ＬＣＤ：Liquid Crystal Display）、有機ＥＬディスプレイ（ＯＥＬＤ：Organic Electro Luminescence Display）、プラズマディスプレイまたは当技術分野で知られている他の任意のディスプレイが適宜利用可能である。
【００１８】
記憶回路２４は、データを記憶可能なＨＤＤ（Hard Disk Drive）およびＳＳＤ（Solid State Drive）等である。例えば、記憶回路２４は、一連の画面操作グループと一連の所見入力操作グループとを時間の前後関係に基づいて関連付けて、一連の画面操作グループ各々に含まれる画面操作を再現するための再現情報と、一連の画面操作グループに関連付けられた一連の所見入力操作グループ各々に含まれる所見入力操作により入力された所見の文章単位とを記憶する。記憶回路２４は、ＨＤＤ等の磁気ディスク以外にも、光磁気ディスクやＣＤ（Compact Disc）、ＤＶＤ（Digital Versatile Disc）等の光ディスクを利用してもよい。また、記憶回路２４の保存領域は、読影レポート作成装置２内にあってもよいし、ネットワークＮＷで接続された外部記憶装置内にあってもよい。
【００１９】
作成装置制御回路２５は、ハードウェア資源として、ＣＰＵ（Central Processing Unit）およびＭＰＵ（Micro Processing Unit）等の所定のプロセッサと、ＲＯＭ（Read Only Memory）およびＲＡＭ（Random Access Memory）等の所定のメモリとにより実現される。作成装置制御回路２５のメモリは、制御プログラムを記憶する。作成装置制御回路２５のプロセッサは、メモリに記憶された制御プログラムを読み出す。作成装置制御回路２５のプロセッサは、読み出した制御プログラムを実行することで、読影レポート作成装置２における各構成の動作および処理等を統括的に制御する。
【００２０】
処理回路２６は、ハードウェア資源として、ＣＰＵおよびＭＰＵ等の所定のプロセッサと、ＲＯＭおよびＲＡＭ等の所定のメモリとにより実現される。処理回路２６のメモリは、ビューワ画面表示プログラムを記憶する。処理回路２６のプロセッサは、メモリに記憶されたビューワ画面表示プログラムを読み出す。処理回路２６のプロセッサは、読み出したビューワ画面表示プログラムを実行することで、ビューワ画面表示機能２６１を実現する。ビューワ画面表示機能２６１の実現により、処理回路２６は、表示回路２３において医用画像を閲覧するための画像表示画面を転送するよう、医用画像表示装置１に要求する。
【００２１】
ここで、医用画像表示装置１は、読影レポート作成装置２からの要求に応じて、上記画像表示画面を読影レポート作成装置２へ転送する。表示回路２３は、転送された画像表示画面を表示する。なお、画像表示画面は、上記医用画像表示装置１に表示されてもよい。
【００２２】
処理回路２６のメモリは、レポート作成画面表示プログラムを記憶する。処理回路２６のプロセッサは、メモリに記憶されたレポート作成画面表示プログラムを読み出す。処理回路２６のプロセッサは、読み出したレポート作成画面表示プログラムを実行することで、レポート作成画面表示機能２６２を実現する。レポート作成画面表示機能２６２の実現により、処理回路１６は、表示回路２３の画像表示画面に表示された読影対象医用画像に対する所見を入力するための所見入力画面を表示回路２３に表示する。
【００２３】
処理回路２６のメモリは、操作検出プログラムを記憶する。処理回路２６のプロセッサは、メモリに記憶された操作検出プログラムを読み出す。処理回路２６のプロセッサは、読み出した操作検出プログラムを実行することで、操作検出機能２６３を実現する。操作検出機能２６３の実現により、処理回路２６は、入力ＩＦ回路２１を介して操作者により入力された入力操作を検出する。例えば、処理回路２６は、入力操作として、画面操作と所見入力操作と切替操作とを検出する。処理回路２６は、検出した画面操作、所見入力操作および切替操作各々を示すコードを、読影レポートの作成過程において行われた操作履歴情報として、対応する入力操作を行った時刻情報と共に記憶回路２４に記憶する。
【００２４】
ここで、画面操作とは、表示回路２３に表示された画像表示画面を用いた、読影対象医用画像の表示態様を変更する操作である。具体的には、画面操作は、スライス位置変更、ウィンドウ分割変更、レイアウト切り替え、位置合わせ、階調変更（ウィンドウレベル（WＬ：Window Level）の変更とウィンドウ幅（ＷＷ：Window Width）の変更とのうちの少なくとも一つを含む）、拡大縮小、移動（例えば、パン（Pan））、回転等、一般に画像表示画面に表示された医用画像に対して行われる表示態様を変更する操作である。所見入力操作とは、表示回路２３に表示された所見入力画面を用いた、読影対象医用画像に対する所見を入力する操作である。切替操作とは、画面操作と所見入力操作とを切り替える操作である。
【００２５】
処理回路２６のメモリは、文章単位確定プログラムを記憶する。処理回路２６のプロセッサは、メモリに記憶された文章単位確定プログラムを読み出す。処理回路２６のプロセッサは、読み出した文章単位確定プログラムを実行することで、文章単位確定機能２６４を実現する。文章単位確定機能２６４の実現により、処理回路２６は、所定のトリガに基づいて上記所見入力画面に入力された所見の文章単位を確定する。
【００２６】
処理回路２６のメモリは、グループ分けプログラムを記憶する。処理回路２６のプロセッサは、メモリに記憶されたグループ分けプログラムを読み出す。処理回路２６のプロセッサは、読み出したグループ分けプログラムを実行することで、グループ分け機能２６５を実現する。グループ分け機能２６５の実現により、処理回路２６は、入力ＩＦ回路２１を介して行われた一連の画面操作を一連の画面操作グループに区分する。また、処理回路２６は、入力ＩＦ回路２１を介して行われた一連の所見入力操作を一連の所見入力操作グループに区分する。
【００２７】
ここで、第１実施形態に係る読影レポート作成装置２での読影レポート作成過程における動作について、具体例を挙げて説明する。なお、第１実施形態では、画像表示画面と所見入力画面とは、いずれも読影レポート作成装置２の表示回路２３に表示されることとする。
【００２８】
図３は、第１実施形態に係る読影レポート作成装置２における読影レポートの作成過程において、表示回路２３に表示される表示画面の一例を示す図である。まず、読影レポートの作成過程において表示回路２３に表示される表示画面について説明する。図３に示すように、表示回路２３の表示画面ＤＰには、画像表示画面Ｄ１と、所見入力画面Ｄ２とが表示される。画像表示画面Ｄ１には、読影依頼された検査に対応する読影対象医用画像（Ｉｍｇが表示される。また、表示画面ＤＰには、入力ＩＦ回路２１を介した操作者からの操作により動作するポインタＰが表示される。操作者は、入力ＩＦ回路２１を介して上記画面操作を行うことで、画像表示画面Ｄ１に表示された読影対象医用画像Ｉｍｇの表示態様を変更する。また、操作者は、入力ＩＦ回路２１を介して上記所見入力操作を行うことで、画像表示画面Ｄ１に表示された読影対象医用画像Ｉｍｇに対する所見を入力する。
【００２９】
次に、読影レポートの作成過程を表示画面ＤＰにおいて行われる入力操作に沿って説明する。図４は、第１実施形態における読影レポートの作成過程において、表示回路２３に表示された画像表示画面Ｄ１において行われる画面操作と、所見入力画面Ｄ２において行われる所見入力操作と、画面操作と所見入力操作とを切り替える切替操作との一例を示す図である。
【００３０】
まず、ステップＳａ１において、入力ＩＦ回路２１を介して画像表示画面Ｄ１に対して画面操作１が入力される。例えば、画面操作１として、読影対象医用画像の表示位置を変更するパン操作が入力される。入力ＩＦ回路２１を介して画面操作１が入力された場合、処理回路２６は、画面操作１を検出する。処理回路２６は、検出した画面操作１に対応する操作履歴情報を、画面操作１を行った時刻情報（時刻ｔ１）と共に記憶回路２４に記憶する。医用画像表示装置１は、処理回路２６による画面操作１の検出をトリガとして、画面操作１に対応する再現情報を取得する。第１実施形態において、医用画像表示装置１は、取得した画面操作１に対応する再現情報を読影レポート作成装置２へ転送する。転送された画面操作１に対応する再現情報は、読影レポート作成装置２の記憶回路２４に記憶される。再現情報とは、読影レポート作成装置２における所見の文章単位を入力する過程において、入力ＩＦ回路２１を介して行われた一連の画面操作を再現するための情報である。例えば、再現情報は、画面操作された読影対象医用画像と、画面操作された読影対象医用画像を含む画像表示画面のキャプチャ画像と、読影対象医用画像に対する画面操作の内容を示すログとのうちの少なくとも一つである。
【００３１】
ステップＳａ２において、入力ＩＦ回路２１を介して画像表示画面Ｄ１に対して画面操作２が入力される。例えば、画面操作２として、ステップＳａ１においてパン操作を行った読影対象医用画像における関心領域の拡大操作が入力される。入力ＩＦ回路２１を介して画面操作２が入力された場合、処理回路２６は、画面操作２を検出する。処理回路２６は、検出した画面操作２に対応する操作履歴情報を、画面操作２を行った時刻情報（時刻ｔ２）と共に記憶回路２４に記憶する。医用画像表示装置１は、処理回路２６による画面操作２の検出をトリガとして、画面操作２に対応する再現情報を取得する。第１実施形態において、医用画像表示装置１は、取得した画面操作２に対応する再現情報を読影レポート作成装置２へ転送する。転送された画面操作２に対応する再現情報は、読影レポート作成装置２の記憶回路２４に記憶される。
【００３２】
ステップＳａ３において、入力ＩＦ回路２１を介して画面操作と所見入力操作とを切り替える切替操作が入力される。具体的には、画像表示画面Ｄ１から所見入力画面Ｄ２へアクティブウィンドウを切り替える切替操作ＳＷ１が入力される。画像表示画面Ｄ１から所見入力画面Ｄ２へのアクティブウィンドウの切り替えは、例えば、入力ＩＦ回路２１を介してポインタＰを操作し、ポインタＰにより所見入力画面Ｄ２をクリックすることで行うことができる。入力ＩＦ回路２１を介して切替操作ＳＷ１が入力された場合、処理回路２６は、切替操作ＳＷ１を検出する。処理回路２６は、検出した切替操作ＳＷ１に対応する操作履歴情報を、切替操作ＳＷ１を行った時刻情報（時刻ｔ３）と共に記憶回路２４に記憶する。
【００３３】
ステップＳａ４において、入力ＩＦ回路２１を介して所見入力画面Ｄ２に対して所見入力操作Ａ−１が入力される。例えば、所見入力操作Ａ−１として、画像表示画面Ｄ１に表示された、画面操作１および画面操作２を施された読影対象医用画像に対する所見が入力される。入力ＩＦ回路２１を介して所見入力操作Ａ−１が入力された場合、処理回路２６は、所見入力操作Ａ−１を検出する。また、処理回路２６は、検出した所見入力操作Ａ−１に対応する操作履歴情報を、所見入力操作Ａ−１を行った時刻情報（時刻ｔ４）と共に記憶回路２４に記憶する。
【００３４】
ステップＳａ５において、入力ＩＦ回路２１を介して所見入力画面Ｄ２に対して所見入力操作Ａ−１により入力された所見の文章単位の確定操作ＳＥ１が入力される。具体的に、確定操作ＳＥ１は、キーボードに設置されたエンターキーの押下、所見入力画面Ｄ２に対する所見入力操作が所定時間されていないこと、および画像表示画面Ｄ１と所見入力画面Ｄ２との間でのアクティブウィンドウの切り替えを含む。入力ＩＦ回路２１を介して確定操作ＳＥ１が入力された場合、処理回路２６は、確定操作ＳＥ１を検出する。処理回路２６は、検出した確定操作ＳＥ１に対応する操作履歴情報を、確定操作ＳＥ１を行った時刻情報（時刻ｔ５）と共に記憶回路２４に記憶する。処理回路２６は、所見入力画面Ｄ２への確定操作ＳＥ１の入力をトリガとして、上記所見入力操作Ａ−１により入力された所見の文章単位を確定する。確定操作後、処理回路２６は、所見入力操作Ａ−１により入力された所見の文字列を記憶回路２４に記憶する。
【００３５】
ステップＳａ６において、入力ＩＦ回路２１を介して所見入力画面Ｄ２に対して所見入力操作Ａ−２が入力される。例えば、所見入力操作Ａ−２として、画像表示画面Ｄ１に表示された、画面操作１および画面操作２を施された読影対象医用画像に対する所見が入力される。入力ＩＦ回路２１を介して所見入力操作Ａ−２が入力された場合、処理回路２６は、所見入力操作Ａ−２を検出する。また、処理回路２６は、検出した所見入力操作Ａ−２に対応する操作履歴情報を、所見入力操作Ａ−２を行った時刻情報（時刻ｔ６）と共に記憶回路２４に記憶する。
【００３６】
ステップＳａ７において、入力ＩＦ回路２１を介して所見入力画面Ｄ２に対して所見入力操作Ａ−２により入力された所見の文章単位の確定操作ＳＥ２が入力される。入力ＩＦ回路２１を介して確定操作ＳＥ２が入力された場合、処理回路２６は、確定操作ＳＥ２を検出する。処理回路２６は、検出した確定操作ＳＥ２に対応する操作履歴情報を、確定操作ＳＥ２を行った時刻情報（時刻ｔ７）と共に記憶回路２４に記憶する。処理回路２６は、所見入力画面Ｄ２への確定操作ＳＥ２の入力をトリガとして、上記所見入力操作Ａ−２により入力された所見の文章単位を確定する。確定操作後、処理回路２６は、所見入力操作Ａ−２により入力された所見の文章単位を記憶回路２４に記憶する。
【００３７】
ステップＳａ８において、入力ＩＦ回路２１を介して所見入力画面Ｄ２から画像表示画面Ｄ１へアクティブウィンドウを切り替える切替操作ＳＷ２が入力される。所見入力画面Ｄ２から画像表示画面Ｄ１へのアクティブウィンドウの切り替えは、例えば、入力ＩＦ回路２１を介してポインタＰを操作し、ポインタＰにより画像表示画面Ｄ１をクリックすることで行うことができる。入力ＩＦ回路２１を介して切替操作ＳＷ２が入力された場合、処理回路２６は、切替操作ＳＷ２を検出する。処理回路２６は、検出した切替操作ＳＷ２に対応する操作履歴情報を、切替操作ＳＷ２を行った時刻情報（時刻ｔ８）と共に記憶回路２４に記憶する。
【００３８】
ステップＳａ９において、入力ＩＦ回路２１を介して画像表示画面Ｄ１に対して画面操作３が入力される。例えば、画面操作３として、Ｓａ２において拡大操作を行った読影対象医用画像の表示位置を変更するパン操作が入力される。入力ＩＦ回路２１を介して画面操作３が入力された場合、処理回路２６は、画面操作３を検出する。処理回路２６は、検出した画面操作３に対応する操作履歴情報を、画面操作３を行った時刻情報（時刻ｔ９）と共に記憶回路２４に記憶する。医用画像表示装置１は、処理回路２６による画面操作３の検出をトリガとして、画面操作３に対応する再現情報を取得する。第１実施形態において、医用画像表示装置１は、取得した画面操作３に対応する再現情報を読影レポート作成装置２へ転送する。転送された画面操作３に対応する再現情報は、読影レポート作成装置２の記憶回路２４に記憶される。
【００３９】
ステップＳａ１０において、入力ＩＦ回路２１を介して画像表示画面Ｄ１に対して画面操作４が入力される。例えば、画面操作４として、ステップＳａ９においてパン操作を行った読影対象医用画像における関心領域の拡大操作が入力される。入力ＩＦ回路２１を介して画面操作４が入力された場合、処理回路２６は、画面操作４を検出する。処理回路２６は、検出した画面操作４に対応する操作履歴情報を、画面操作４を行った時刻情報（時刻ｔ１０）と共に記憶回路２４に記憶する。医用画像表示装置１は、処理回路２６による画面操作４の検出をトリガとして、画面操作４に対応する再現情報を取得する。第１実施形態において、医用画像表示装置１は、取得した画面操作４に対応する再現情報を読影レポート作成装置２へ転送する。転送された画面操作４に対応する再現情報は、読影レポート作成装置２の記憶回路２４に記憶される。
【００４０】
ステップＳａ１１において、入力ＩＦ回路２１を介して画像表示画面Ｄ１から所見入力画面Ｄ２へアクティブウィンドウを切り替える切替操作ＳＷ３が入力される。入力ＩＦ回路２１を介して切替操作ＳＷ３が入力された場合、処理回路２６は、切替操作ＳＷ３を検出する。処理回路２６は、検出した切替操作ＳＷ３に対応する操作履歴情報を、切替操作ＳＷ１を行った時刻情報（時刻ｔ１１）と共に記憶回路２４に記憶する。
【００４１】
ステップＳａ１２において、入力ＩＦ回路２１を介して所見入力画面Ｄ２に対して所見入力操作Ａ−３が入力される。例えば、所見入力操作Ａ−３として、画像表示画面Ｄ１に表示された、画面操作１と、画面操作２と、画像操作３と、画像操作４とを施された読影対象医用画像に対する所見が入力される。入力ＩＦ回路２１を介して所見入力操作Ａ−３が入力された場合、処理回路２６は、所見入力操作Ａ−３を検出する。また、処理回路２６は、検出した所見入力操作Ａ−３に対応する操作履歴情報を、所見入力操作Ａ−３を行った時刻情報（時刻ｔ１２）と共に記憶回路２４に記憶する。
【００４２】
ステップＳａ１３において、入力ＩＦ回路２１を介して所見入力画面Ｄ２に対して所見入力操作Ａ−３により入力された所見の文章単位の確定操作ＳＥ３が入力される。入力ＩＦ回路２１を介して確定操作ＳＥ３が入力された場合、処理回路２６は、確定操作ＳＥ３を検出する。処理回路２６は、検出した確定操作ＳＥ３に対応する操作履歴情報を、確定操作ＳＥ３を行った時刻情報（時刻ｔ１３）と共に記憶回路２４に記憶する。処理回路２６は、所見入力画面Ｄ２への確定操作ＳＥ３の入力をトリガとして、上記所見入力操作Ａ−３により入力された所見の文章単位を確定する。確定操作後、処理回路２６は、所見入力操作Ａ−３により入力された所見の文章単位を記憶回路２４に記憶する。
【００４３】
ステップＳａ１４において、入力ＩＦ回路２１を介して所見入力画面Ｄ２に対して所見入力操作Ａ−４が入力される。例えば、所見入力操作Ａ−４として、画像表示画面Ｄ１に表示された、画面操作１と、画面操作２と、画像操作３と、画像操作４とを施された読影対象医用画像に対する所見が入力される。入力ＩＦ回路２１を介して所見入力操作Ａ−４が入力された場合、処理回路２６は、所見入力操作Ａ−４を検出する。また、処理回路２６は、検出した所見入力操作Ａ−４に対応する操作履歴情報を、所見入力操作Ａ−４を行った時刻情報（時刻ｔ１４）と共に記憶回路２４に記憶する。
【００４４】
ステップＳａ１５において、入力ＩＦ回路２１を介して所見入力画面Ｄ２に対して所見入力操作Ａ−４により入力された所見の文章単位の確定操作ＳＥ４が入力される。入力ＩＦ回路２１を介して確定操作ＳＥ４が入力された場合、処理回路２６は、確定操作ＳＥ４を検出する。処理回路２６は、検出した確定操作ＳＥ４に対応する操作履歴情報を、確定操作ＳＥ４を行った時刻情報（時刻ｔ１５）と共に記憶回路２４に記憶する。処理回路２６は、所見入力画面Ｄ２への確定操作ＳＥ４の入力をトリガとして、上記所見入力操作Ａ−４により入力された所見の文章単位を確定する。確定操作後、処理回路２６は、所見入力操作Ａ−４により入力された所見の文章単位を記憶回路２４に記憶する。
【００４５】
ここで、上記記憶回路２４に記憶された操作履歴情報に基づいて、処理回路２６は、入力ＩＦ回路２１を介して行われた一連の画面操作を一連の画面操作グループに区分する。第１実施形態では、読影レポートの作成過程における切替操作に基づいて、一連の画面操作を一連の画面操作グループに区分する。具体的には、処理回路２６は、入力ＩＦ回路２１を介して行われた一または複数の画面操作を単一の画面操作グループ１に区分する。また、上記記憶回路２４に記憶された操作履歴情報に基づいて、処理回路２６は、入力ＩＦ回路２１を介して行われた一連の所見入力操作を一連の所見入力操作グループに区分する。第１実施形態では、一連の画面操作グループへの区分手法と同様に、読影レポートの作成過程における切替操作に基づいて、一連の所見入力操作を一連の所見入力操作グループに区分する。具体的には、処理回路２６は、入力ＩＦ回路２１を介して行われた一または複数の所見入力操作を単一の所見入力操作グループに区分する。
【００４６】
ここで、処理回路２６による一連の画面操作の区分と一連の所見入力操作の区分とについて、図５を用いて具体的に説明する。
【００４７】
図５は、図４に示す読影レポートの作成過程において記憶回路２４に記憶された操作履歴情報を示す図である。例えば、記憶回路２４は、図５に示すように、操作履歴情報を時系列で並べて記憶する。図５に示す操作履歴情報は、入力操作を示すコード（操作履歴）と、入力操作の対象となった画面情報と、入力操作を行った時刻情報とが対応付けられている。
【００４８】
処理回路２６は、図５に示す操作履歴情報に基づいて、読影レポートの作成開始から切替操作ＳＷ１が検出されるまでに入力ＩＦ回路２１を介して行われた画面操作１および画面操作２を単一の画面操作グループ１に区分する。また、処理回路２６は、切替操作ＳＷ２が検出されてから切替操作ＳＷ３が検出されるまでに入力ＩＦ回路２１を介して行われた画面操作３および画面操作４を単一の画面操作グループ２に区分する。
【００４９】
処理回路２６は、図５に示す操作履歴情報に基づいて、切替操作ＳＷ１が検出されてから切替操作ＳＷ２が検出されるまでに入力ＩＦ回路２１を介して行われた所見入力操作Ａ−１および所見入力操作Ａ−２を単一の所見入力操作グループ１に区分する。また、処理回路２６は、切替操作ＳＷ３が検出されてから読影レポートの作成終了までに入力ＩＦ回路２１を介して行われた所見入力操作Ａ−３および所見入力操作Ａ−４を単一の所見入力操作グループ２に区分する。
【００５０】
図６は、図４および図５に示す操作例において、処理回路２６により区分された画面操作グループを示す図である。図６に示すように、画面操作グループ１は、画面操作１および画面操作２を含む。また、画面操作グループ２は、画面操作３および画面操作４を含む。図７は、図４および図５に示す操作例において、処理回路２６により区分された所見入力操作グループを示す図である。図７に示すように、所見入力操作グループ１は、所見入力操作Ａ−１および所見入力操作Ａ−２を含む。また、所見入力操作グループ２は、所見入力操作Ａ−３および所見入力操作Ａ−４を含む。
【００５１】
一連の画面操作グループと一連の所見入力操作グループとの区分後、記憶回路２４は、一連の画面操作グループと一連の所見入力操作グループとを時間の前後関係に基づいて関連付ける。第１実施形態では、記憶回路２４は、画面操作グループと、時間的に上記画面操作グループの直後に行われた所見入力操作グループとを関連付ける。
【００５２】
具体的に、記憶回路２４は、上記画面操作グループ１と、時間的に当該画面操作グループ１の直後に行われた所見入力操作グループ１とを関連付ける。また、記憶回路２４は、上記画面操作グループ２と、時間的に当該画面操作グループ２の直後に行われた所見入力操作グループ２とを関連付ける。
【００５３】
図８は、第１実施形態における記憶回路２４に記憶された一連の画面操作グループ各々に含まれる再現情報と、一連の画面操作グループ各々に関連付けられた一連の所見入力操作グループ各々に含まれる所見の文章単位とを示す図である。図８に示すように、画面操作グループ１に含まれる画面操作１および画面操作２各々に対応する再現情報と、所見入力操作グループ１に含まれる所見入力操作Ａ−１および所見入力操作Ａ−２各々に対応する文章単位とが関連付けられている。また、画面操作グループ２に含まれる画面操作３および画面操作４各々に対応する再現情報と、所見入力操作グループ２に含まれる所見入力操作Ａ−３および所見入力操作Ａ−４各々に対応する文章単位とが関連付けられている。
【００５４】
ここで、画面操作１に対応する再現情報は、例えば、画面操作１を施された読影対象医用画像と、画面操作１を施された読影対象医用画像を含む画像表示画面Ｄ１のキャプチャ画像と、読影対象医用画像に対する画面操作１の内容を示すログとのうちの少なくとも一つである。画面操作２に対応する再現情報は、画面操作２を施された読影対象医用画像と、画面操作２を施された読影対象医用画像を含む画像表示画面Ｄ１のキャプチャ画像と、読影対象医用画像に対する画面操作２の内容を示すログとのうちの少なくとも一つである。画面操作３に対応する再現情報は、画面操作３を施された読影対象医用画像と、画面操作３を施された読影対象医用画像を含む画像表示画面Ｄ１のキャプチャ画像と、読影対象医用画像に対する画面操作３の内容を示すログとのうちの少なくとも一つである。画面操作４に対応する再現情報は、画面操作４を施された読影対象医用画像と、画面操作４を施された読影対象医用画像を含む画像表示画面Ｄ１のキャプチャ画像と、読影対象医用画像に対する画面操作４の内容を示すログとのうちの少なくとも一つである。
【００５５】
また、所見入力操作Ａ−１およびＡ−２に対応する文章単位は、例えば、画面操作１および画面操作２を施された読影対象医用画像に対する所見である。所見入力操作Ａ−３およびＡ−４に対応する文章単位は、画面操作３および画面操作４を施された読影対象医用画像に対する所見である。
【００５６】
読影レポート表示装置３は、図８に示す再現情報と所見の文章単位との関連付けに基づいて、読影レポート作成装置２で作成された読影レポートに含まれる所見の文章単位ごとに、所見の文章単位を入力したときの表示形態を有する読影対象医用画像を表示することができる。
【００５７】
なお、第１実施形態における記憶回路２４は、図５乃至図８に示す情報をファイル形式（例えば、ＸＭＬ形式）およびリレーショナルデータベース形式等で記憶してもよい。
【００５８】
上記構成によれば、第１実施形態に係る読影レポート作成装置２は、検出された切替操作に基づいて、入力ＩＦ回路２１を介して行われた一連の画面操作を一連の画面操作グループに区分する。また、読影レポート作成装置２は、検出された切替操作に基づいて、入力ＩＦ回路２１を介して行われた一連の所見入力操作を一連の所見入力操作グループに区分する。さらに、読影レポート作成装置２は、一連の画面操作グループと一連の所見入力操作グループとを時間の前後関係に基づいて関連付ける。読影レポート作成装置２は、所見入力操作により入力された所見の文章単位ごとに、文章単位と、文章単位を入力する過程において入力ＩＦ回路２１を介して行われた一連の画面操作に対応する再現情報とを関連付けて記憶する。これにより、第１実施形態に係る読影レポート作成装置２は、文章単位を入力した時に画像表示画面Ｄ１に表示されていた読影対象医用画像を簡単に表示することができるため、読影レポートに記載される所見の妥当性の判断を容易に行うことができる。
【００５９】
ここで、上記第１実施形態に係る読影レポート作成装置２は、処理回路２６による画面操作を検出するたびに、医用画像表示装置１から画面操作に対応する再現情報を取得している。しかしながら、第１実施形態に係る読影レポート作成装置２はこれに限定されない。例えば、読影レポート作成装置２は、処理回路２６による確定操作の検出をトリガとして、医用画像表示装置１から画面操作に対応する再現情報を取得してもよい。
【００６０】
（第２実施形態）
第２実施形態に係る読影レポート作成装置では、第１実施形態と異なる手法を用いて、一連の画面操作を一連の画面操作グループに区分し、一連の所見入力操作を一連の所見入力操作グループに区分する手法について説明する。なお、第２実施形態に係る読影レポート表示装置の構成は、第１実施形態に係る読影レポート作成装置２の構成と略一致するため、各構成に同一の符号を付し、詳しい説明を省略する。また、読影レポートの作成過程において、第２実施形態に係る読影レポート作成装置の表示回路に表示される表示画面は、第１実施形態に係る読影レポート作成装置の表示回路に表示される表示画面と略一致するため、各構成に同一の符号を付し、詳しい説明を省略する。なお、以下の説明において、略同一の機能および構成を有する構成要素については、同一符号を付し、重複説明は必要な場合にのみ行う。
【００６１】
まず、第２実施形態における読影レポートの作成過程を表示画面において行われる入力操作に沿って説明する。図９は、第２実施形態における読影レポートの作成過程において、表示回路２３に表示された画像表示画面Ｄ１において行われる画面操作と、所見入力画面Ｄ２において行われる所見入力操作と、画面操作と所見入力操作とを切り替える切替操作との一例を示す図である。
【００６２】
ステップＳｂ１において、入力ＩＦ回路２１を介して画像表示画面Ｄ１に対して画面操作１が入力される。例えば、画面操作１として、読影対象医用画像の表示位置を変更するパン操作が入力される。入力ＩＦ回路２１を介して画面操作１が入力された場合、処理回路２６は、画面操作１を検出する。処理回路２６は、検出した画面操作１に対応する操作履歴情報を、画面操作１を行った時刻情報（時刻ｔ１）と共に記憶回路２４に記憶する。医用画像表示装置１は、処理回路２６による画面操作１の検出をトリガとして、画面操作１に対応する再現情報を取得する。第２実施形態において、医用画像表示装置１は、取得した画面操作１に対応する再現情報を記憶する。
【００６３】
ステップＳｂ２において、入力ＩＦ回路２１を介して画像表示画面Ｄ１に対して画面操作２が入力される。例えば、画面操作２として、ステップＳａ１においてパン操作を行った読影対象医用画像における関心領域の拡大操作が入力される。入力ＩＦ回路２１を介して画面操作２が入力された場合、処理回路２６は、画面操作２を検出する。処理回路２６は、検出した画面操作２に対応する操作履歴情報を、画面操作２を行った時刻情報（時刻ｔ２）と共に記憶回路２４に記憶する。医用画像表示装置１は、処理回路２６による画面操作２の検出をトリガとして、画面操作２に対応する再現情報を取得する。第２実施形態において、医用画像表示装置１は、取得した画面操作２に対応する再現情報を記憶する。
【００６４】
ステップＳｂ３において、入力ＩＦ回路２１を介して画像表示画面Ｄ１から所見入力画面Ｄ２へアクティブウィンドウを切り替える切替操作ＳＷ１が入力される。入力ＩＦ回路２１を介して切替操作ＳＷ１が入力された場合、処理回路２６は、切替操作ＳＷ１を検出する。処理回路２６は、検出した切替操作ＳＷ１に対応する操作履歴情報を、切替操作ＳＷ１を行った時刻情報（時刻ｔ３）と共に記憶回路２４に記憶する。
【００６５】
ステップＳｂ４において、入力ＩＦ回路２１を介して所見入力画面Ｄ２に対して所見入力操作Ａ−１が入力される。例えば、所見入力操作Ａ−１として、画像表示画面Ｄ１に表示された、画面操作１および画面操作２を施された読影対象医用画像に対する所見が入力される。入力ＩＦ回路２１を介して所見入力操作Ａ−１が入力された場合、処理回路２６は、所見入力操作Ａ−１を検出する。また、処理回路２６は、検出した所見入力操作Ａ−１に対応する操作履歴情報を、所見入力操作Ａ−１を行った時刻情報（時刻ｔ４）と共に記憶回路２４に記憶する。
【００６６】
ステップＳｂ５において、入力ＩＦ回路２１を介して所見入力画面Ｄ２から画像表示画面Ｄ１へアクティブウィンドウを切り替える切替操作ＳＷ２が入力される。入力ＩＦ回路２１を介して切替操作ＳＷ２が入力された場合、処理回路２６は、切替操作ＳＷ２を検出する。処理回路２６は、検出した切替操作ＳＷ２に対応する操作履歴情報を、切替操作ＳＷ２を行った時刻情報（時刻ｔ５）と共に記憶回路２４に記憶する。
【００６７】
ここで、ステップＳｂ５において、所見入力画面Ｄ２から画像表示画面Ｄ１へアクティブウィンドウを切り替えた後、画像表示画面Ｄ１において画面操作を行わない。画像表示画面Ｄ１において画面操作を行わない例としては、例えば、ステップＳｂ４において入力された所見が作成途中であり、再度、画像表示画面Ｄ１から所見入力画面Ｄ２へアクティブウィンドウを切り替える場合が考えられる。
【００６８】
ステップＳｂ６において、入力ＩＦ回路２１を介して画像表示画面Ｄ１から所見入力画面Ｄ２へアクティブウィンドウを切り替える切替操作ＳＷ３が入力される。入力ＩＦ回路２１を介して切替操作ＳＷ３が入力された場合、処理回路２６は、切替操作ＳＷ３を検出する。処理回路２６は、検出した切替操作ＳＷ３に対応する操作履歴情報を、切替操作ＳＷ３を行った時刻情報（時刻ｔ６）と共に記憶回路２４に記憶する。
【００６９】
ステップＳｂ７において、入力ＩＦ回路２１を介して所見入力画面Ｄ２に対して所見入力操作Ａ−２が入力される。例えば、所見入力操作Ａ−２として、画像表示画面Ｄ１に表示された、画面操作１および画面操作２を施された読影対象医用画像に対する所見が入力される。入力ＩＦ回路２１を介して所見入力操作Ａ−２が入力された場合、処理回路２６は、所見入力操作Ａ−２を検出する。また、処理回路２６は、検出した所見入力操作Ａ−２に対応する操作履歴情報を、所見入力操作Ａ−２を行った時刻情報（時刻ｔ７）と共に記憶回路２４に記憶する。
【００７０】
ステップＳｂ８において、入力ＩＦ回路２１を介して所見入力画面Ｄ２に対して所見入力操作Ａ−１により入力された所見の文章単位と、所見入力操作Ａ−２により入力された所見の文章単位との確定操作ＳＥ１が入力される。入力ＩＦ回路２１を介して確定操作ＳＥ１が入力された場合、処理回路２６は、確定操作ＳＥ１を検出する。処理回路２６は、検出した確定操作ＳＥ１に対応する操作履歴情報を、確定操作ＳＥ１を行った時刻情報（時刻ｔ８）と共に記憶回路２４に記憶する。処理回路２６は、所見入力画面Ｄ２への確定操作ＳＥ１の入力をトリガとして、上記所見入力操作Ａ−１により入力された所見の文章単位と、所見入力操作Ａ−２により入力された所見の文章単位とを確定する。確定操作後、処理回路２６は、所見入力操作Ａ−１により入力された所見の文章単位と、所見入力操作Ａ−２により入力された所見の文章単位とを記憶回路２４に記憶する。
【００７１】
ここで、処理回路２６は、所見入力画面Ｄ２への確定操作ＳＥ１の入力をトリガとして、記憶された画面操作１に対応する再現情報と画面操作２に対応する再現情報とを転送するよう、医用画像表示装置１に要求する。医用画像表示装置１は、読影レポート作成装置２からの要求に応じて、記憶した画面操作１に対応する再現情報と画面操作２に対応する再現情報とを読影レポート作成装置２へ転送する。転送された画面操作１に対応する再現情報と画面操作２に対応する再現情報とは、読影レポート作成装置２の記憶回路２４に記憶される。
【００７２】
ステップＳｂ９において、入力ＩＦ回路２１を介して所見入力画面Ｄ２から画像表示画面Ｄ１へアクティブウィンドウを切り替える切替操作ＳＷ４が入力される。入力ＩＦ回路２１を介して切替操作ＳＷ４が入力された場合、処理回路２６は、切替操作ＳＷ４を検出する。処理回路２６は、検出した切替操作ＳＷ４に対応する操作履歴情報を、切替操作ＳＷ４を行った時刻情報（時刻ｔ４）と共に記憶回路２４に記憶する。
【００７３】
ステップＳｂ１０において、入力ＩＦ回路２１を介して画像表示画面Ｄ１に対して画面操作３が入力される。例えば、画面操作３として、ステップＳｂ２において拡大操作された読影対象医用画像の表示位置を変更するパン操作が入力される。入力ＩＦ回路２１を介して画面操作３が入力された場合、処理回路２６は、画面操作３を検出する。処理回路２６は、検出した画面操作３に対応する操作履歴情報を、画面操作３を行った時刻情報（時刻ｔ１０）と共に記憶回路２４に記憶する。医用画像表示装置１は、処理回路２６による画面操作３の検出をトリガとして、画面操作３に対応する再現情報を取得する。第２実施形態において、医用画像表示装置１は、取得した画面操作３に対応する再現情報を記憶する。
【００７４】
ステップＳｂ１１において、入力ＩＦ回路２１を介して画像表示画面Ｄ１に対して画面操作４が入力される。例えば、画面操作４として、ステップＳｂ１０においてパン操作を行った読影対象医用画像における関心領域の拡大操作が入力される。入力ＩＦ回路２１を介して画面操作４が入力された場合、処理回路２６は、画面操作４を検出する。処理回路２６は、検出した画面操作４に対応する操作履歴情報を、画面操作４を行った時刻情報（時刻ｔ１１）と共に記憶回路２４に記憶する。医用画像表示装置１は、処理回路２６による画面操作４の検出をトリガとして、画面操作４に対応する再現情報を取得する。第２実施形態において、医用画像表示装置１は、取得した画面操作４に対応する再現情報を記憶する。
【００７５】
ステップＳｂ１２において、入力ＩＦ回路２１を介して画像表示画面Ｄ１から所見入力画面Ｄ２へアクティブウィンドウを切り替える切替操作ＳＷ５が入力される。入力ＩＦ回路２１を介して切替操作ＳＷ５が入力された場合、処理回路２６は、切替操作ＳＷ５を検出する。処理回路２６は、検出した切替操作ＳＷ５に対応する操作履歴情報を、切替操作ＳＷ５を行った時刻情報（時刻ｔ１２）と共に記憶回路２４に記憶する。
【００７６】
ステップＳｂ１３において、入力ＩＦ回路２１を介して所見入力画面Ｄ２に対して所見入力操作Ａ−３が入力される。例えば、所見入力操作Ａ−３として、画像表示画面Ｄ１に表示された、画面操作３および画面操作４を施された読影対象医用画像に対する所見が入力される。入力ＩＦ回路２１を介して所見入力操作Ａ−３が入力された場合、処理回路２６は、所見入力操作Ａ−３を検出する。また、処理回路２６は、検出した所見入力操作Ａ−３に対応する操作履歴情報を、所見入力操作Ａ−３を行った時刻情報（時刻ｔ１３）と共に記憶回路２４に記憶する。
【００７７】
ステップＳｂ１４において、入力ＩＦ回路２１を介して所見入力画面Ｄ２から画像表示画面Ｄ１へアクティブウィンドウを切り替える切替操作ＳＷ６が入力される。入力ＩＦ回路２１を介して切替操作ＳＷ６が入力された場合、処理回路２６は、切替操作ＳＷ６を検出する。処理回路２６は、検出した切替操作ＳＷ６に対応する操作履歴情報を、切替操作ＳＷ６を行った時刻情報（時刻ｔ１４）と共に記憶回路２４に記憶する。
【００７８】
ここで、ステップＳｂ１４において所見入力画面Ｄ２から画像表示画面Ｄ１へアクティブウィンドウを切り替えた後、画像表示画面Ｄ１において画面操作を行わない。
【００７９】
ステップＳｂ１５において、入力ＩＦ回路２１を介して画像表示画面Ｄ１から所見入力画面Ｄ２へアクティブウィンドウを切り替える切替操作ＳＷ７が入力される。入力ＩＦ回路２１を介して切替操作ＳＷ７が入力された場合、処理回路２６は、切替操作ＳＷ７を検出する。処理回路２６は、検出した切替操作ＳＷ７に対応する操作履歴情報を、切替操作ＳＷ７を行った時刻情報（時刻ｔ１５）と共に記憶回路２４に記憶する。
【００８０】
ステップＳｂ１６において、入力ＩＦ回路２１を介して所見入力画面Ｄ２に対して所見入力操作Ａ−４が入力される。例えば、所見入力操作Ａ−４として、画像表示画面Ｄ１に表示された、画面操作３および画面操作４を施された読影対象医用画像に対する所見が入力される。入力ＩＦ回路２１を介して所見入力操作Ａ−４が入力された場合、処理回路２６は、所見入力操作Ａ−４を検出する。また、処理回路２６は、検出した所見入力操作Ａ−４に対応する操作履歴情報を、所見入力操作Ａ−４を行った時刻情報（時刻ｔ１６）と共に記憶回路２４に記憶する。
【００８１】
ステップＳｂ１７において、入力ＩＦ回路２１を介して所見入力画面Ｄ２に対して所見入力操作Ａ−３により入力された所見の文章単位と、所見入力操作Ａ−４により入力された所見の文章単位との確定操作ＳＥ２が入力される。入力ＩＦ回路２１を介して確定操作ＳＥ２が入力された場合、処理回路２６は、確定操作ＳＥ２を検出する。処理回路２６は、検出した確定操作ＳＥ２に対応する操作履歴情報を、確定操作ＳＥ２を行った時刻情報（時刻ｔ１７）と共に記憶回路２４に記憶する。処理回路２６は、所見入力画面Ｄ２への確定操作ＳＥ２の入力をトリガとして、上記所見入力操作Ａ−３により入力された所見の文章単位と、所見入力操作Ａ−３により入力された所見の文章単位とを確定する。確定操作後、処理回路２６は、所見入力操作Ａ−３により入力された所見の文章単位と、所見入力操作Ａ−４により入力された所見の文章単位とを記憶回路２４に記憶する。
【００８２】
ここで、処理回路２６は、所見入力画面Ｄ２への確定操作ＳＥ２の入力をトリガとして、記憶された画面操作３に対応する再現情報と画面操作４に対応する再現情報とを転送するよう、医用画像表示装置１に要求する。医用画像表示装置１は、読影レポート作成装置２からの要求に応じて、記憶した画面操作３に対応する再現情報と画面操作４に対応する再現情報とを読影レポート作成装置２へ転送する。転送された画面操作３に対応する再現情報と画面操作４に対応する再現情報とは、読影レポート作成装置２の記憶回路２４に記憶される。
【００８３】
ここで、上記記憶回路２４に記憶された操作履歴情報に基づいて、処理回路２６は、入力ＩＦ回路２１を介して行われた一連の画面操作を一連の画面操作グループに区分する。第２実施形態では、読影レポートの作成過程における確定操作に基づいて、一連の画面操作を一連の画面操作グループに区分する。具体的には、処理回路２６は、入力ＩＦ回路２１を介して行われた一または複数の画面操作を単一の画面操作グループ１に区分する。また、上記記憶回路２４に記憶された操作履歴情報に基づいて、処理回路２６は、入力ＩＦ回路２１を介して行われた一連の所見入力操作を一連の所見入力操作グループに区分する。第２実施形態では、一連の画面操作グループへの区分手法と同様に、読影レポートの作成過程における確定操作に基づいて、一連の所見入力操作を一連の所見入力操作グループに区分する。具体的には、処理回路２６は、入力ＩＦ回路２１を介して行われた一または複数の所見入力操作を単一の所見入力操作グループに区分する。
【００８４】
ここで、処理回路２６による一連の画面操作の区分と一連の所見入力操作の区分とについて、図１０を用いて具体的に説明する。
【００８５】
図１０は、図９に示す読影レポートの作成過程において記憶回路２４に記憶された操作履歴情報を示す図である。例えば、記憶回路２４は、図１０に示すように、操作履歴情報を時系列で並べて記憶する。図６に示す操作履歴情報は、入力操作を示すコード（操作履歴）と、入力操作の対象となった画面情報と、入力操作を行った時刻情報とが対応付けられている。
【００８６】
処理回路２６は、図１０に示す操作履歴情報に基づいて、読影レポートの作成開始から確定操作ＳＥ１が検出されるまでに入力ＩＦ回路２１を介して行われた画面操作１および画面操作２を単一の画面操作グループ１に区分する。また、処理回路２６は、確定操作ＳＥ１が検出されてから確定操作ＳＥ２が検出されるまでに入力ＩＦ回路２１を介して行われた画面操作３および画面操作４を単一の画面操作グループ２に区分する。
【００８７】
処理回路２６は、図１０に示す操作履歴情報に基づいて、読影レポートの作成開始から確定操作ＳＥ１が検出されるまでに入力ＩＦ回路２１を介して行われた所見入力操作Ａ−１および所見入力操作Ａ−２を単一の所見入力操作グループ１に区分する。また、処理回路２６は、確定操作ＳＥ１が検出されてから確定操作ＳＥ２が検出されるまでに入力ＩＦ回路２１を介して行われた所見入力操作Ａ−３および所見入力操作Ａ−４を単一の所見入力操作グループ２に区分する。
【００８８】
図１１は、図９および図１０に示す操作例において、処理回路２６により区分された画面操作グループを示す図である。図１１に示すように、画面操作グループ１は、画面操作１および画面操作２を含む。また、画面操作グループ２は、画面操作３および画面操作４を含む。図１２は、図９および図１０に示す操作例において、処理回路２６により区分された所見入力操作グループを示す図である。図１２に示すように、所見入力操作グループ１は、所見入力操作Ａ−１および所見入力操作Ａ−２を含む。また、所見入力操作グループ２は、所見入力操作Ａ−３および所見入力操作Ａ−４を含む。
【００８９】
一連の画面操作グループと一連の所見入力操作グループとの区分後、記憶回路２４は、一連の画面操作グループと一連の所見入力操作グループとを時間の前後関係に基づいて関連付ける。第２実施形態では、記憶回路２４は、画面操作グループと、時間的に上記画面操作グループの直後に行われた所見入力操作グループとを関連付ける。
【００９０】
具体的に、記憶回路２４は、上記画面操作グループ１と、時間的に当該画面操作グループ１の直後に行われた所見入力操作グループ１とを関連付けて記憶する。また、記憶回路２４は、上記画面操作グループ２と、時間的に当該画面操作グループ２の直後に行われた所見入力操作グループ２とを関連付けて記憶する。
【００９１】
図１３は、第２実施形態における記憶回路２４に記憶された一連の画面操作グループ各々に含まれる再現情報と、一連の画面操作グループ各々に関連付けられた一連の所見入力操作グループ各々に含まれる所見の文章単位とを示す図である。図１３に示すように、画面操作グループ１に含まれる画面操作１および画面操作２各々に対応する再現情報と、所見入力操作グループ１に含まれる所見入力操作Ａ−１および所見入力操作Ａ−２各々に対応する文章単位とが関連付けられている。また、画面操作グループ２に含まれる画面操作３および画面操作４各々に対応する再現情報と、所見入力操作グループ２に含まれる所見入力操作Ａ−３および所見入力操作Ａ−４各々に対応する文章単位とが関連付けられている。
【００９２】
読影レポート表示装置３は、図１３に示す再現情報と所見の文章単位との関連付けに基づいて、読影レポート作成装置２で作成された読影レポートに含まれる所見の文章単位ごとに、所見の文章単位を入力したときの表示形態を有する読影対象医用画像を表示することができる。
【００９３】
なお、第２施形態における記憶回路２４は、図１０乃至図１３に示す情報をファイル形式（例えば、ＸＭＬ形式）およびリレーショナルデータベース等で記憶してもよい。
【００９４】
上記構成によれば、第２実施形態に係る読影レポート作成装置２は、検出された切替操作に基づいて、入力ＩＦ回路２１を介して行われた一連の画面操作を一連の画面操作グループに区分する。また、読影レポート作成装置２は、検出された切替操作に基づいて、入力ＩＦ回路２１を介して行われた一連の所見入力操作を一連の所見入力操作グループに区分する。さらに、読影レポート作成装置２は、一連の画面操作グループと一連の所見入力操作グループとを時間の前後関係に基づいて関連付ける。読影レポート作成装置２は、所見入力操作により入力された所見の文章単位ごとに、文章単位と、文章単位を入力する過程において入力ＩＦ回路２１を介して行われた一連の画面操作に対応する再現情報とを関連付けて記憶する。これにより、第２実施形態に係る読影レポート作成装置２は、文章単位を入力した時に画像表示画面Ｄ１に表示された読影対象医用画像を簡単に表示することができるため、読影レポートに記載される所見の妥当性の判断を容易に行うことができる。
【００９５】
ここで、上記第２実施形態に係る読影レポート作成装置２は、読影レポートの作成過程において、処理回路２６による確定操作の検出をトリガとして、医用画像表示装置１から画面操作に対応する再現情報を取得している。しかしながら、第２実施形態に係る読影レポート作成装置２はこれに限定されない。例えば、第２実施形態に係る読影レポート作成装置２は、第１実施形態に係る読影レポート作成装置２と同様に、処理回路２６による画面操作を検出するたびに、医用画像表示装置１から画面操作に対応する再現情報を取得してもよい。
【００９６】
（第３実施形態）
上記第１実施形態および第２実施形態に係る読影レポート作成装置２では、再現情報と所見の文章単位との関連付けている。第３実施形態に係る読影レポート作成装置２は、上記再現情報と所見の文章単位との関連付けに基づいて、読影レポートの表示と、読影レポートに含まれる所見の文章単位に関連づけられた再現情報に基づく表示とを行う。
【００９７】
まず、読影レポート表示装置３の構成について説明する。図１４は、図１に示す読影レポート表示装置３を示すブロック図である。図１４に示す読影レポート表示装置３は、入力ＩＦ回路３１と、通信ＩＦ回路３２と、表示回路３３と、記憶回路３４と、表示装置制御回路３５と、処理回路３６とを有する。ここで、入力ＩＦ回路３１と、表示回路３３と、記憶回路３４と、表示装置制御回路３５とは、医用画像表示装置１における入力ＩＦ回路１１と、表示回路１３と、記憶回路１４と、表示装置制御回路１５と略一致するため、詳しい説明を省略する。
【００９８】
通信ＩＦ回路３２は、有線あるいは無線にて外部装置と通信するための通信機器である。外部装置は、例えば、ＨＩＳおよびＰＡＣＳ等のシステムに含まれるサーバ、あるいは他のワークステーションである。第３実施形態において、通信ＩＦ回路３２は、図１に示す読影レポート作成装置２および読影レポート表示装置３と通信する。
【００９９】
処理回路３６は、ハードウェア資源として、ＣＰＵおよびＭＰＵ等の所定のプロセッサと、ＲＯＭおよびＲＡＭ等の所定のメモリとにより実現される。処理回路３６のメモリは、レポート表示プログラムを記憶する。処理回路３６のプロセッサは、メモリに記憶されたレポート表示プログラムを読み出す。処理回路３６のプロセッサは、読み出したレポート表示プログラムを実行することで、レポート表示機能３６１を実現する。レポート表示機能３６１の実現により、処理回路３６は、読影レポート作成装置２により作成された読影レポートを表示回路３３において閲覧するためのレポート表示画面を表示回路３３に表示する。レポート表示画面は、医用画像を表示するための画像表示画面と、読影レポートの所見を表示するための所見表示画面とを含む。
【０１００】
処理回路３６のメモリは、再現情報特定プログラムを記憶する。処理回路３６のプロセッサは、メモリに記憶された再現情報特定プログラムを読み出す。処理回路３６のプロセッサは、読み出した再現情報特定プログラムを実行することで、再現情報特定機能３６２を実現する。再現情報特定機能３６２の実現により、処理回路３６は、表示回路３３に表示された読影レポートの所見文章を構成する複数の文章単位のうち、入力ＩＦ回路３１を介した操作者からの入力により指定された文章単位に関連付けられた再現情報を特定する。
【０１０１】
処理回路３６のメモリは、再現プログラムを記憶する。処理回路３６のプロセッサは、メモリに記憶された再現プログラムを読み出す。処理回路３６のプロセッサは、読み出した再現プログラムを実行することで、再現機能３６３を実現する。再現機能３６３の実現により、処理回路３６は、特定した再現情報に関連付けられた文章単位の作成時に行われた、読影対象医用画像に対する一連の画面操作を再現する。
【０１０２】
ここで、第３実施形態に係る読影レポート表示装置３での読影レポートの表示動作について、具体例を挙げて説明する。まず、表示回路３３に表示されるレポート表示画面について説明する。
【０１０３】
図１５は、第３実施形態に係る読影レポート表示装置３におけるレポート表示画面の一例を示す図である。図１５に示すように、レポート表示画面ＤＯには、入力ＩＦ回路２１を介した操作者からの操作により動作するポインタＰが表示される。また、表示回路３３のレポート表示画面ＤＯには、画像表示画面Ｄ３と、所見表示画面Ｄ４とが表示される。第３実施形態における画像表示画面Ｄ３は、複数の領域Ｒ１乃至Ｒ４に分割されており、複数の領域Ｒ１乃至Ｒ４各々に操作者指定の画像を表示する。また、所見表示画面Ｄ４は、過去に作成された読影レポートの所見文章を表示する。所見文章には、複数の文章単位のうちの時間的に前後する２つの文章単位の境目が明示される。境目は、例えば、所見文章の入力のための所見入力画面と読影対象医用画像が表示される画像表示画面との間の操作画面の切替が行われたタイミング、あるいは、所見入力操作が中断されて読影対象医用画像に対する画面操作が行われたタイミングに対応する。所見入力操作の中断とは、所見入力画面Ｄ２に対する所見入力操作が所定時間されてないことである。また、所見文章の境目には、入力ＩＦ回路３１を介してポインタＰにより指定することで、所定の画面表示を行うためのアイコンＭ１、Ｍ２、Ｍ３が表示される。また、所見文章を構成する複数の文章単位を下線（例えば、実線、破線、および一点鎖線）を用いて表示する。なお、所見文章を構成する複数の文章単位を文字列の書式を変更することで表示してもよい。
【０１０４】
操作者は、入力ＩＦ回路２１を介してポインタＰを操作し、所見表示画面Ｄ４に表示された読影レポートの所見文章を構成する複数の文章単位の中から一つの文章単位を指定する。処理回路３６は、入力ＩＦ回路３１を介した操作者からの入力により指定された文章単位に関連付けられた再現情報を特定する。ここで、再現情報は、所見の文章単位の入力時に画面操作された読影対象医用画像と、所見の文章単位の入力時に画面操作された読影対象医用画像を含む画像表示画面Ｄ３のキャプチャ画像と、読影対象医用画像に対する画面操作の内容を示すログとのうちの少なくとも一つである。処理回路３６は、特定した再現情報に関連付けられた文章単位の作成時に行われた、読影対象医用画像に対する一連の画面操作を再現する。入力ＩＦ回路３１を介して操作者により指定された文章単位に関連付けられた再現情報が複数の画面操作を含む場合、処理回路３６は、複数の画面操作を順番に再現する。
【０１０５】
ここで、特定した再現情報が画面操作された読影対象医用画像またはキャプチャ画像である場合、処理回路３６は、画面操作された読影対象医用画像またはキャプチャ画像を画像表示画面Ｄ３に表示する。また、特定した再現情報が複数の画面操作各々に対応する複数の読影対象医用画像または複数のキャプチャ画像である場合、処理回路３６は、複数の読影対象医用画像または複数のキャプチャ画像を順番に画像表示画面Ｄ３に表示する。
【０１０６】
また、特定した再現情報が読影対象医用画像に対する画面操作の内容を示すログである場合、処理回路３６は、ログに基づく画面操作を読影対象医用画像に対して行い、画面操作を施した読影対象医用画像を画像表示画面Ｄ３に表示する。また、特定した再現情報が読影対象医用画像に対する複数の画面操作の内容を示す複数のログである場合、処理回路３６は、ログに基づく画面操作を読影対象医用画像に対して順番に行い、画面操作を施した読影対象医用画像を順番に画像表示画面Ｄ３に表示する。
【０１０７】
ここで、読影対象医用画像に対する一連の画面操作の再現について図面を参照して具体的に説明する。以降、第３実施形態における再現情報を画面操作された読影対象医用画像とする。
【０１０８】
まず、図１５を参照して読影対象医用画像に対する一連の画面操作の再現について説明する。図１５に示すように、操作者は、入力ＩＦ回路３１を介してポインタＰを操作して、所見文章を構成する複数の文章単位の中から文章単位「ＷＷはＶＶです。」を指定する。処理回路３６は、入力ＩＦ回路３１を介した操作者からの入力により指定された文章単位「ＷＷはＶＶです。」に関連付けられた再現情報を特定する。処理回路３６は、特定された再現情報に基づいて、指定された文章単位の作成時に行われた、読影対象医用画像に対する一連の画面操作を再現する。例えば、文章単位「ＷＷはＶＶです。」に関連付けられた再現情報に、図８に示す画面操作１および画面操作２が含まれる場合、処理回路３６は、画像操作１が行われた読影対象医用画像ＩｍｇＰと、画像操作２が行われた読影対象医用画像ＩｍｇＰとを順番に画像表示画面Ｄ３の領域Ｒ２に表示する。
【０１０９】
次に、図１６を参照して読影対象医用画像に対する一連の画面操作の再現について説明する。図１６は、所見表示画面Ｄ４に表示されるアイコンを指定した場合のレポート表示画面ＤＯの表示例１を示す図である。図１６に示すレポート表示画面ＤＯの所見表示画面Ｄ４には、２つの文章単位のいずれか一方の文章単位の作成時に行われた、読影対象医用画像に対する一連の画面操作の再現を指示するためのアイコンＭ１、Ｍ２、Ｍ３が表示される。アイコンＭ１は、文章単位「ＸＸを比較した結果、ＹＹと考えられます。」に対応する。アイコンＭ２は、文章単位「ＺＺについては、著変ありません。」に対応する。アイコンＭ３は、文章単位「ＷＷはＶＶです。」に対応する。
【０１１０】
図１６に示すように、操作者は、入力ＩＦ回路３１を介して操作者によりアイコンＭ３を指定する。処理回路３６は、入力ＩＦ回路３１を介した操作者からの入力により指定されたアイコンＭ３に対応する文章単位「ＷＷはＶＶです。」に関連付けられた再現情報を特定する。処理回路３６は、特定された再現情報に基づいて、指定された文章単位「ＷＷはＶＶです。」の作成時に行われた、読影対象医用画像に対する一連の画面操作を再現する。例えば、文章単位「ＷＷはＶＶです。」に関連付けられた再現情報に、図８に示す画面操作１および画面操作２が含まれる場合、処理回路３６は、画像操作１が行われた読影対象医用画像ＩｍｇＰと、画像操作２が行われた読影対象医用画像ＩｍｇＰとを順番に画像表示画面Ｄ３の領域Ｒ２に表示する。
【０１１１】
次に、図１７を参照して読影対象医用画像に対する一連の画面操作の再現について説明する。図１７は、所見表示画面Ｄ４に表示されるアイコンを指定した場合のレポート表示画面ＤＯの表示例２を示す図である。図１７に示すレポート表示画面ＤＯには、二つの文章単位のいずれか一方の文章単位の作成時に行われた、読影対象医用画像に対する一連の画面操作の内容を表示するためのアイコンＭ１、Ｍ２、Ｍ３が表示される。アイコンＭ１、Ｍ２、Ｍ３と文章単位との対応関係は、図１６と同様である。操作者は、入力ＩＦ回路３１を介して操作者によりアイコンＭ３を指定する。処理回路３６は、指定されたアイコンＭ３に対応する文章単位「ＷＷはＶＶです。」に関連付けられた再現情報を特定する。処理回路３６は、特定された再現情報に基づいて、読影対象医用画像に対する一連の画面操作の内容を表示画面Ｄ５に表示する。例えば、文章単位「ＷＷはＶＶです。」に関連付けられた再現情報に、図８に示す画面操作１および画面操作２が含まれる場合、処理回路３６は、画面操作１の内容と画面操作２の内容とを表示画面Ｄ５に表示する。
【０１１２】
次に、図１８を参照して読影対象医用画像に対する一連の画面操作の再現について説明する。図１８は、指定された文章単位に関連付けられた再現情報が複数の画面操作を含む場合のレポート表示画面ＤＯの表示例１を示す図である。例えば、読影レポート表示装置３は、図１８に示すように、画像表示画面Ｄ３に順送りボタンＢ１と逆送りボタンＢ２とを表示する。操作者は、入力ＩＦ回路３１を介してポインタＰを操作し、順送りボタンＢ１と逆送りボタンＢ２とのいずれか一つを指定する。入力ＩＦ回路３１を介して操作者により順送りボタンＢ１が指定された場合、処理回路２６は、複数の画面操作のうちの、再現中の画面操作から時間的に直後の画面操作を再現する。入力ＩＦ回路３１を介して操作者により逆送りボタンＢ２が指定された場合、処理回路２６は、複数の画面操作のうちの、再現中の画面操作から時間的に直前の画面操作を再現する。例えば、再現情報に、図８に示す画面操作１および画面操作２が含まれる場合、処理回路３６は、画像操作１が行われた読影対象医用画像ＩｍｇＰと、画像操作２が行われた読影対象医用画像ＩｍｇＰとを順番に画像表示画面Ｄ３の領域Ｒ２に表示する。具体的には、処理回路３６は、順送りボタンＢ１が指定された場合に画像操作１が行われた読影対象医用画像ＩｍｇＰを表示する。処理回路３６は、逆送りボタンＢ２が指定された場合に画像操作２が行われた読影対象医用画像ＩｍｇＰを表示する。
【０１１３】
なお、図１８において、順送りボタンＢ１と逆送りボタンＢ２とを画像表示画面Ｄ３に表示し、順送りボタンＢ１と逆送りボタンＢ２とのいずれか一つを指定することで、読影対象医用画像を表示しているが、マウスジェスチャ等により順送りと逆送りとを指定してもよい。
【０１１４】
次に、図１９を参照して読影対象医用画像に対する一連の画面操作の再現について説明する。図１９は、指定された文章単位に関連付けられた再現情報が複数の画面操作を含む場合のレポート表示画面ＤＯの表示例２を示す図である。例えば、読影レポート表示装置３は、図１９に示すように、画像表示画面Ｄ３の領域Ｒ４に画像めくりボタンＳＷを表示する。操作者は、入力ＩＦ回路３１を介してポインタＰを操作して画像めくりボタンＳＷを指定する。入力ＩＦ回路３１を介して操作者により画像めくりボタンＳＷが指定された場合、処理回路２６は、所見表示画面Ｄ４に表示された所見文章に関連付けられた一連の画面操作を順番に再現する。例えば、再現情報に、図８に示す画面操作１および画面操作２が含まれる場合、処理回路３６は、時系列で操作された時刻が早い順に、画像操作１が行われた読影対象医用画像ＩｍｇＰと、画像操作２が行われた読影対象医用画像ＩｍｇＰとを順番に画像表示画面Ｄ３の領域Ｒ２に表示する。
【０１１５】
上記構成によれば、第３実施形態に係る読影レポート表示装置３において、処理回路３６は、入力ＩＦ回路３１を介した操作者からの入力により指定された文章単位に関連付けられた再現情報を特定する。処理回路３６は、特定した再現情報に関連付けられた文章単位の作成時に行われた、読影対象医用画像に対する一連の画面操作を再現する。入力ＩＦ回路３１を介して操作者により指定された文章単位に関連付けられた再現情報が複数の画面操作を含む場合、処理回路３６は、複数の画面操作を順番に再現する。これにより、第２実施形態に係る読影レポート作成装置２は、文章単位を入力した時に画像表示画面Ｄ１に表示されていた読影対象医用画像に対する一連の画面操作を再現することができるため、読影レポートに記載される所見の妥当性の判断を容易に行うことができる。
【０１１６】
なお、上記第３実施形態に係る読影レポート表示装置３は、入力ＩＦ回路３１を介してポインタＰを操作して文章単位を指定している。しかしながら、第３実施形態に係る読影レポート表示装置３はこれに限定されない。例えば、第３実施形態に係る読影レポート表示装置３は、コンテキストメニューから文章単位を選択してもよいし、文章単位を画像表示画面Ｄ３にドラッグアンドドロップしてもよい。
【０１１７】
（総括）  
上記の説明の通り、実施形態に係る読影レポート作成装置は、入力ＩＦ回路と、処理回路と、記憶回路とを備える。入力ＩＦ回路は、所見入力画面を用いた所見を入力する所見入力操作と、画像表示画面を用いた読影対象医用画像に対する画面操作と、画面操作と所見入力操作との切替操作とを受け付ける。処理回路は、入力ＩＦ回路を介した切替操作を検出する。処理回路は、検出された切替操作に基づいて、入力ＩＦ回路を介して行われた一連の画面操作を一連の画面操作グループに区分し、入力ＩＦ回路を介して行われた一連の所見入力操作を一連の所見入力操作グループに区分する。記憶回路は、一連の画面操作グループと一連の所見入力操作グループとを時間の前後関係に基づいて関連付けて、一連の画面操作グループ各々に含まれる画面操作を再現するための再現情報と、一連の画面操作グループに関連付けられた一連の所見入力操作グループ各々に含まれる所見入力操作により入力された所見の文章単位とを記憶する。
【０１１８】
上記の構成により、実施形態に係る読影レポート作成装置は、文章単位を入力した時に画像表示画面に表示されていた読影対象医用画像を簡単に表示することができる。
【０１１９】
かくして、実施形態に係る読影レポート作成装置は、読影レポートの所見から読影過程を知ることができ、所見の妥当性の判断に寄与することができる読影レポート作成装置および読影レポート表示装置を提供することができる。
【０１２０】
また、上記説明において用いた「所定のプロセッサ」という文言は、例えば、専用又は汎用のprocessor、circuit(circuitry)、processing circuit(circuitry)、operation circuit(circuitry)、arithmetic circuit(circuitry)、あるいは、特定用途向け集積回路（ＡＳＩＣ：Application Specific Integrated Circuit）、プログラマブル論理デバイス（例えば、単純プログラマブル論理デバイス（ＳＰＬＤ：Simple Programmable Logic Device）、複合プログラマブル論理デバイス（ＣＰＬＤ：Complex Programmable Logic Device）、及びフィールドプログラマブルゲートアレイ（ＦＰＧＡ：Field Programmable Gate Array）等を意味する。また、本実施形態の各構成要素（各処理部）は、単一のプロセッサに限らず、複数のプロセッサによって実現するようにしてもよい。さらに、複数の構成要素（複数の処理部）を、単一のプロセッサによって実現するようにしてもよい。
【０１２１】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【０１２２】
１…医用画像表示装置、２…読影レポート作成装置、３…読影レポート表示装置、２１…入力インターフェース（ＩＦ）回路、２２…通信インターフェース（ＩＦ）回路、２３…表示回路、２４…記憶回路、２５…作成装置制御回路、２６…処理回路、３１…入力インターフェース（ＩＦ）回路、３２…通信インターフェース（ＩＦ）回路、３３…表示回路、３４…記憶回路、３５…表示装置制御回路、３６…処理回路、２６１…ビューワ画面表示機能、２６２…レポート作成画面表示機能、２６３…操作検出機能、２６４…文章単位確定機能、２６５…グループ分け機能、３６１…レポート表示機能、３６２…再現情報特定機能、３６３…再現機能。
【図１】
2018045431.tif 000003
【図２】
2018045431.tif 000004
【図３】
2018045431.tif 000005
【図４】
2018045431.tif 000006
【図５】
2018045431.tif 000007
【図６】
2018045431.tif 000008
【図７】
2018045431.tif 000009
【図８】
2018045431.tif 000010
【図９】
2018045431.tif 000011
【図１０】
2018045431.tif 000012
【図１１】
2018045431.tif 000013
【図１２】
2018045431.tif 000014
【図１３】
2018045431.tif 000015
【図１４】
2018045431.tif 000016
【図１５】
2018045431.tif 000017
【図１６】
2018045431.tif 000018
【図１７】
2018045431.tif 000019
【図１８】
2018045431.tif 000020
【図１９】
2018045431.tif 000021